(57)【要約】【課題】マイクの性能を維持しつつ、デザイン性にも優れた携帯電子機器を提供する。【解決手段】携帯電子機器１は、第１筐体２Ａと、第１筐体２Ａと係合する第１状態及び第１筐体２Ａと係合しない第２状態のいずれかに配置可能な筐体であって、一端側に、前記第１状態から前記第２状態とするための外力が加えられる凹部１３を有する第２筐体２Ｂと、第１筐体２Ａと第２筐体２Ｂとの間に設けられた音声入力部３１と、前記第１状態において、第２筐体２Ｂの凹部１３と音声入力部３１との間を連通させる連通部２３と、備える。【選択図】図４
2014082631.tif 000002
【特許請求の範囲】
【請求項１】
第１筐体と、
前記第１筐体と係合する第１状態及び前記１筐体と係合しない第２状態のいずれかに配置可能な筐体であって、一端側に、前記第１状態から前記第２状態とするための外力が加えられる凹部を有する第２筐体と、
前記第１筐体と前記第２筐体との間に設けられた音声入力部と、
前記第１状態において、前記第２筐体の前記凹部と前記音声入力部との間を連通させる連通部と、備える、
携帯電子機器。
【請求項２】
前記連通部は、前記第２筐体の前記凹部と前記音声入力部との間を、少なくとも一つの屈曲領域を介して連通させる、
請求項１に記載の携帯電子機器。
【請求項３】
前記連通部は、前記第２筐体の前記凹部と前記音声入力部との間を、略直線的に連通させる、
請求項１に記載の携帯電子機器。
【請求項４】
前記第１筐体と前記第２筐体との間に配置される中間筐体であって、前記音声入力部及び前記連通部が設けられる中間筐体を備え、
前記第１状態において、前記第２筐体の前記凹部は、前記中間筐体の隣接する端部よりも前記第１筐体側に位置する、
請求項１から３のいずれか一項に記載の携帯電子機器。
【発明の詳細な説明】
【技術分野】
【０００１】
本発明は、携帯電話機等の携帯電子機器に関する。
【背景技術】
【０００２】
携帯端末装置等の携帯電子機器には、通話時又は音声の録音時に、ユーザーの発した音声を入力するマイクが設けられている。従来、スマートフォンと呼ばれる携帯端末装置では、タッチスクリーンディスプレイの近傍に、ユーザーの発した音声をマイクに伝達するためのマイク音孔が設けられている（例えば、特許文献１参照）。
【先行技術文献】
【特許文献】
【０００３】
【特許文献１】特開２０１２−１８１８２６号公報
【発明の概要】
【発明が解決しようとする課題】
【０００４】
スマートフォンには、性能だけでなく、デザイン性の高さも求められている。しかしながら、筐体に設けられたマイク音孔は、デザイン性を低下させる要因になっていた。
【０００５】
本発明は、マイクの性能を維持しつつ、デザイン性にも優れた携帯電子機器を提供することを目的とする。
【課題を解決するための手段】
【０００６】
本発明に係る携帯電子機器は、第１筐体と、前記第１筐体と係合する第１状態及び前記１筐体と係合しない第２状態のいずれかに配置可能な筐体であって、一端側に、前記第１状態から前記第２状態とするための外力が加えられる凹部を有する第２筐体と、前記第１筐体と前記第２筐体との間に設けられた音声入力部と、前記第１状態において、前記第２筐体の前記凹部と前記音声入力部との間を連通させる連通部と、備える。
【０００７】
また、本発明に係る携帯電子機器において、前記連通部は、前記第２筐体の前記凹部と前記音声入力部との間を、少なくとも一つの屈曲領域を介して連通させてもよい。
【０００８】
また、本発明に係る携帯電子機器において、前記連通部は、前記第２筐体の前記凹部と前記音声入力部との間を、略直線的に連通させてもよい。
請求項１に記載の携帯電子機器。
【０００９】
また、本発明に係る携帯電子機器において、前記第１筐体と前記第２筐体との間に配置される中間筐体であって、前記音声入力部及び前記連通部が設けられる中間筐体を備え、前記第１状態において、前記第２筐体の前記凹部は、前記中間筐体の隣接する端部よりも前記第１筐体側に位置させてもよい。
【発明の効果】
【００１０】
本発明によれば、マイクの性能を維持しつつ、デザイン性にも優れた携帯電子機器を提供することができる。
【図面の簡単な説明】
【００１１】
【図１】第１実施形態における携帯端末装置１の外観を示す正面図である。
【図２】第１実施形態における携帯端末装置１の外観を示す背面図である。
【図３】第１実施形態における携帯端末装置１の外観を示す底面図である。
【図４】図１のＡ−Ａ線断面に対応する概略断面図である。
【図５】第２実施形態における携帯端末装置１Ａの特徴部分を示す概略断面図である。
【発明を実施するための形態】
【００１２】
以下、本発明に係る携帯電子機器を携帯端末装置に適用した場合の実施形態について、図面を参照しながら説明する。
【００１３】
（第１実施形態）
まず、第１実施形態における携帯端末装置１の全体構成について説明する。図１は、第１実施形態における携帯端末装置１の外観を示す正面図である。図２は、第１実施形態における携帯端末装置１の外観を示す背面図である。図３は、第１実施形態における携帯端末装置１の外観を示す底面図である。図４は、図１のＡ−Ａ線断面に対応する概略断面図である。なお、図１、図４及び図５（後述）には、携帯端末装置１の第１方向（Ｘ方向）、第２方向（Ｙ方向）、第３方向（Ｚ方向）の各座標系を示す。
【００１４】
図１から図３に示すように、携帯端末装置１は、本体部となる筐体２を有する。筐体２は、第１筐体２Ａと、第２筐体２Ｂと、を有する。第１筐体２Ａは、ユーザーに対向する側に配置される部材であり、後述するタッチスクリーンディスプレイ３が配置される。第２筐体２Ｂは、手のひら等に対向して配置される部材である。
【００１５】
第１筐体２Ａには、図１に示すように、タッチスクリーンディスプレイ３、着信ランプ４、近接センサー５、及びインカメラ６が配置されている。
【００１６】
タッチスクリーンディスプレイ３は、第１筐体２Ａの正面側に配置されている。タッチスクリーンディスプレイ３は、図４に示すように、カバーガラス３ａと、タッチスクリーン３ｂと、ディスプレイ３ｃと、を有する。
【００１７】
カバーガラス３ａは、タッチスクリーンディスプレイ３の最も外側に配置される透明なガラス板である。
【００１８】
タッチスクリーン３ｂは、タッチスクリーンディスプレイ３に対する指、又はスタイラスペン等の接触を検出する。タッチスクリーン３ｂは、複数の指、又はスタイラスペン等がタッチスクリーンディスプレイ３に接触した位置及び／又はジェスチャーを検出することができる。タッチスクリーン３ｂの検出方式は、静電容量方式、抵抗膜方式、表面弾性波方式（又は超音波方式）、赤外線方式、電磁誘導式、及び荷重検出方式等の任意の方式でよい。なお、本実施形態におけるカバーガラス３ａは、自ら振動して音を伝えるレシーバーとしての機能を有する。
【００１９】
ディスプレイ３ｃは、液晶ディスプレイ、有機ＥＬパネル、又は無機ＥＬパネル等の表示デバイスにより構成される。ディスプレイ３ｃは、文字及び図形等の画像を表示することができる。なお、本実施形態におけるディスプレイ３ｃは、自ら振動して音を伝えるレシーバーとしての機能を有する。
【００２０】
着信ランプ４は、電話の着信時、及びメールの受信時に予め設定されたパターンに従って点滅する。また、着信ランプ４は、充電中に所定の色で点灯する。
【００２１】
近接センサー５は、第１筐体２Ａ側における物体の接近を非接触で検出する。近接センサー５は、センサー検出面（不図示）が第１筐体２Ａの正面側に向くように配置されている。近接センサー５により、例えば、通話中において、タッチスクリーンディスプレイ３にユーザーの顔が接近したことが検出される。近接センサー５の位置には、光センサー（不図示）が設けられている。光センサーにおいて周囲の明るさを検出することにより、ディスプレイの明るさを適切に調節することができる。
【００２２】
インカメラ６は、第１筐体２Ａに面している物体を撮影するためのカメラである。インカメラ６は、第１筐体２Ａからレンズ部のみが露出している。
【００２３】
筐体２の第１方向において、第１筐体２Ａと第２筐体２Ｂとの接合面となる一方の側面には、電源キー７、及び音量キー８が配置されている。
【００２４】
電源キー７は、電源のオン／オフ、及びスリープモード等の移行／解除の際に操作される。
【００２５】
音量キー８は、通話時の音量を調節する際に操作される。音量キー８を構成する２つのキーのうち、一方のキーを操作すると音量が高くなり、他方のキーを操作すると音量が低くなる。
【００２６】
筐体２の第１方向において、第１筐体２Ａと第２筐体２Ｂとの接合面となる他方の側面には、外部接続端子及び外部接続端子カバーが配置されている（不図示）。外部接続端子は、不使用時には、外部接続端子カバーにより覆われている。
【００２７】
第２筐体２Ｂには、図２に示すように、スピーカー９、アンテナ１０、赤外線ポート１１、及びアウトカメラ１２が配置されている。
【００２８】
スピーカー９は、電話の着信音及び各種のアラーム音を外部へ出力する。
アンテナ１０は、テレビの地上波電波等を受信する。アンテナ１０の本体（ロッド部）は、筐体２に内蔵されており、テレビを視聴する際に筐体２から引き出されて使用される。図２では、アンテナ１０の引き出し部のみを図示する。
【００２９】
赤外線ポート１１は、赤外線通信によりデータの送受信を行うための端子である。
アウトカメラ１２は、第２筐体２Ｂに面している物体を撮影するためのカメラである。アウトカメラ１２は、第２筐体２Ｂからレンズ部のみが露出している。
【００３０】
第２筐体２Ｂは、図３に示すように、筐体２の底面側（一端側）に分解用凹部１３を有する。分解用凹部１３は、筐体２を、第１筐体２Ａと第２筐体２Ｂとに分離する際に使用されるスリット状の開口である。ユーザーは、分解用凹部１３に指の爪又は工具を挿入し、第１筐体２Ａに対して第２筐体２Ｂを離間させる方向に力を加えることにより、第１筐体２Ａと第２筐体２Ｂとを分離することができる。
【００３１】
次に、携帯端末装置１におけるマイク部３０及びその周辺の構造について説明する。図４に示すように、第１筐体２Ａと第２筐体２Ｂとの間には、中間筐体２０が配置されている。中間筐体２０には、音声入力部としてのマイク３１（後述）のほか、アンテナ１０の本体、バッテリー、メモリーカード及び１Ｃカード（いずれも不図示）等が配置されている。中間筐体２０は、第１筐体２Ａ側となる第１面２１と、第２筐体２Ｂ側となる第２面２２とを有する。
【００３２】
中間筐体２０の第１面２１側には、マイク部３０が設けられている。マイク部３０は、のマイク３１と、クッション材３２と、クッション材保持部３３と、防水シート３４とを有する。
【００３３】
マイク３１は、通話時又は音声の録音時に、ユーザーの発した音声を音声信号に変換する電子部品である。マイク３１は、音声の入口となる集音部３１ａを有する。マイク３１は、集音部３１ａが中間筐体２０側を向くように配置されている。
【００３４】
クッション材３２は、第１筐体２Ａと中間筐体２０との間において、マイク３１の配置されている空間を略密閉状態とするための部材である。クッション材３２には、外部から取り入れた音声を通過させるための開口部３２ａが設けられている。マイク３１の集音部３１ａとクッション材３２の開口部３２ａとは、筐体２の第３方向（Ｚ方向）において、一致するように配置されている。クッション材保持部３３は、クッション材３２を中間筐体２０に保持する部材である。
【００３５】
防水シート３４は、空気（音声）を通過させるが、水分を通過させない性質を有するシート状の部材である。
【００３６】
中間筐体２０は、第２筐体２Ｂの分解用凹部１３側に、連通部２３を有する。連通部２３は、第１筐体２Ａと第２筐体２Ｂとが係合する第１状態（後述）において、第２筐体２Ｂの分解用凹部１３とマイク３１との間を連通させる領域である。連通部２３の第１開口端２３ａ（音声入力側）は、第２筐体２Ｂの分解用凹部１３と対向する。また、連通部２３の第２開口端２３ｂ（音声出力側）は、マイク３１（防水シート３４）と対向する。また、連通部２３において、第２筐体２Ｂの分解用凹部１３とマイク３１との間には、略直角に屈曲した屈曲領域２３ｃが設けられている。そのため、連通部２３は、側面視において略Ｌ字形状となる。図４に示すように、ユーザーが携帯端末装置１に対して発した音声Ｓは、第２筐体２Ｂの分解用凹部１３から取り込まれ、中間筐体２０の連通部２３を経てマイク３１に伝達される。
【００３７】
携帯端末装置１において、第２筐体２Ｂの分解用凹部１３からマイク３１までの距離は、第１筐体２Ａ側にマイク音孔を設けた場合に比べて長くなる。しかし、第２筐体２Ｂの分解用凹部１３は、一般的な丸穴のマイク音孔に比べて開口面積が大きいため、音量の低下は生じにくい。
【００３８】
中間筐体２０の第１面２１側には、第１筐体２Ａ及びタッチスクリーンディスプレイ３等が取り付けられている。中間筐体２０の第１面２１側において、第１筐体２Ａ及びタッチスクリーンディスプレイ３等の部品は、ユーザーによる分解が出来ないように中間筐体２０に取り付けられている。
【００３９】
一方、中間筐体２０の第２面２２側には、第２筐体２Ｂと係合するための係合凹部２４が複数箇所に設けられている（図４では一箇所を図示する）。また、第２筐体２Ｂの中間筐体２０側には、中間筐体２０と係合するための係合凸部２５が複数箇所に設けられている（図４では一箇所を図示する）。係合凹部２４と係合凸部２５とを係合させることにより、第２筐体２Ｂと中間筐体２０とを接合することができる。
【００４０】
ユーザーは、第２筐体２Ｂの分解用凹部１３に指の爪又は工具を挿入し、第１筐体２Ａに対して第２筐体２Ｂを離間させる方向に力を加えることにより、第２筐体２Ｂを携帯端末装置１から分離することができる。このように、第２筐体２Ｂは、携帯端末装置１の第１筐体２Ａと係合する第１状態（図４の状態）、及び第１筐体２Ａと係合しない第２状態のいずれかに配置可能な筐体として構成されている。ユーザーは、携帯端末装置１から第２筐体２Ｂを分離することにより、バッテリー交換等を行うことができる。
【００４１】
第２筐体２Ｂの分解用凹部１３は、バッテリー交換等において使用される既存の開口であるため、マイク音孔として兼用しても、筐体に専用のマイク音孔を設けた従来の携帯端末装置と比べて、デザイン性の低下を招くことがない。
【００４２】
また、第２筐体２Ｂの分解用凹部１３は、図４に示す第１状態において、中間筐体２０の隣接する端部２０ａよりも第１筐体２Ａ側に位置する。すなわち、第２筐体２Ｂの分解用凹部１３は、中間筐体２０の端部２０ａよりも、高さｈの分だけ第１筐体２Ａ側に突出している。
【００４３】
上述した第１実施形態の携帯端末装置１によれば、例えば、以下のような効果を奏する。
（１）第２筐体２Ｂに設けられた分解用凹部１３は、マイク音孔としても機能するため、筐体２に専用のマイク音孔を設ける必要がない。そのため、筐体２の外観を、より簡素化することができる。分解用凹部１３は、一般的な丸穴のマイク音孔に比べて開口面積が大きいため、音量の低下は生じにくい。また、分解用凹部１３は、バッテリー交換等において使用される既存の開口であるため、マイク音孔として兼用しても、デザイン性の低下を招くことがない。従って、マイク３１の性能を維持しつつ、デザイン性にも優れた携帯端末装置１を提供することができる。
【００４４】
（２）中間筐体２０に設けられた連通部２３は、屈曲領域２３ｃを有するため、マイク３１（集音部３１ａ）を、中間筐体２０と並行に配置することができる。すなわち、携帯端末装置１においては、第１筐体２Ａにマイク音孔を設けた場合と同じ向きにマイク３１を配置することができる。そのため、携帯端末装置１においては、マイク３１周辺の大幅な設計変更を抑制することができる。
【００４５】
（３）分解用凹部１３は、第１状態（図４参照）において、中間筐体２０の隣接する端部２０ａよりも第１筐体２Ａ側に位置する。そのため、第１筐体２Ａと第２筐体２Ｂとを分離する際に、分解用凹部１３に挿入した指の爪又は工具が中間筐体２０に接触することがない。従って、第１筐体２Ａと第２筐体２Ｂとをスムーズに分離することができる。
【００４６】
（第２実施形態）
次に、本発明の第２実施形態について説明する。なお、第２実施形態における携帯端末装置１Ａの全体構成は、第１実施形態の携帯端末装置１と同じであるため、ここでは主に相違点について説明する。また、第２実施形態では、第１実施形態と同じ構成要素には同一符号を付し、その説明を適宜に省略する（一部は符号と説明を省略する）。また、実施形態２に特徴的な部材については、符号に「Ａ」を付して説明する（第１筐体２Ａを除く）。
【００４７】
図５は、第２実施形態における携帯端末装置１Ａの特徴部分を示す概略断面図であり、図２（第１実施形態）と同じＡ−Ａ線断面に相当する概略断面図である。
【００４８】
第２実施形態の中間筐体２０Ａは、第２筐体２Ｂの分解用凹部１３側に、連通部２３Ａを有する。連通部２３Ａは、第１筐体２Ａと第２筐体２Ｂとが係合する第１状態において、第２筐体２Ｂの分解用凹部１３とマイク３１との間を連通させる領域である。連通部２３Ａの第１開口端２３Ａａ（音声入力側）は、第２筐体２Ｂの分解用凹部１３と対向する。また、連通部２３Ａの第２開口端２３Ａｂ（音声出力側）は、マイク３１（防水シート３４）と対向する。
【００４９】
連通部２３Ａは、第２筐体２Ｂの分解用凹部１３とマイク３１との間を略直線的に連通する。図５に示すように、ユーザーが携帯端末装置１Ａに対して発した音声Ｓは、第２筐体２Ｂの分解用凹部１３から取り込まれ、中間筐体２０Ａの連通部２３Ａを経てマイク３１に伝達される。
【００５０】
第２実施形態の携帯端末装置１Ａによれば、上述した第１実施形態における（１）及び（３）と同等の効果を奏する。とくに、第２実施形態の中間筐体２０Ａに設けられた連通部２３Ａは、第２筐体２Ｂの分解用凹部１３とマイク３１との間を略直線的に連通するため、音質の低下を抑制することができる。
【００５１】
本発明は、上述した第１及び第２実施形態に制限されるものではなく、以下に示すように適宜に変更可能であり、それらの本発明の範囲に含まれる。
【００５２】
第１実施形態では、連通部２３において、第２筐体２Ｂの分解用凹部１３とマイク３１との間に、一つの屈曲領域２３ｃを設けた例について説明した。これに限らず、連通部２３に、屈曲領域２３ｃを２つ以上設けた構成としてもよい。
【００５３】
第１及び第２実施形態では、本発明に係る携帯電子機器を携帯端末装置に適用した例について説明した。これに限らず、本発明に係る携帯電子機器は、タブレット端末装置、ＰＤＡ（Ｐｅｒｓｏｎａｌ  Ｄｉｇｉｔａｌ  Ａｓｓｉｓｔａｎｔ）、ポータブルナビゲーション装置等のマイクを備えた携帯電子機器一般に適用することができる。また、本実施形態では、本発明の構造について携帯端末装置に適用した例について説明したが、本発明の構造については、電子機器一般に適用することができる。
【００５４】
また、本実施形態では、マイク（音声入力部）の性能を維持しつつ、デザイン性にも優れた携帯電子機器について説明したが、本発明の構成については、レシーバー又はスピーカー（音声出力部）の性能を維持しつつ、デザイン性にも優れた携帯電子機器を提供する目的のために適用してもよい。つまり、本発明の構成において、マイクをレシーバー又はスピーカーに置き換えることにより、レシーバー音孔又はスピーカー音孔を設けなくとも、レシーバー又はスピーカーの性能を維持することがで、かつ、デザイン性に優れた携帯電子機器を提供することができる。
【符号の説明】
【００５５】
１，１Ａ  携帯端末装置（携帯電子機器）
２  筐体
２Ａ  第１筐体
２Ｂ  第２筐体
１３  分解用凹部
２０，２０Ａ  中間筐体
２０ａ  端部
２１  第１面
２２  第２面
２３，２３Ａ  連通部
２３ｃ  屈曲領域
３０  マイク部
３１  マイク
３１ａ  集音部
３２  クッション材
３２ａ  開口部
３３  クッション材保持部
３４  防水シート
【図１】
2014082631.tif 000003
【図２】
2014082631.tif 000004
【図３】
2014082631.tif 000005
【図４】
2014082631.tif 000006
【図５】
2014082631.tif 000007